(57)【特許請求の範囲】
【請求項１】
壁の縦材を、土台と床根太と床面材からなる床に接合するに際し、縦材の側面にホールダウン金物の側板を固定し、土台から突出し、床面材を貫通する連結部材をホールダウン金物の水平板に挿通して該水平板に上下両方から緊結するとともに、
前記連結部材の中間部に該連結部材を軸直角方向から支える座屈止め部材を前記床の床根太の側面に設けた縦材の接合構造。
【請求項２】
前記床が土台と床根太と床面材を予め一体化してなる床パネルである請求項１に記載の縦材の接合構造。
【請求項３】
請求項１又は２に記載の縦材の接合構造を用いた建物ユニット。
【請求項４】
請求項３に記載の建物ユニットを用いてなるユニット建物。
【発明の詳細な説明】
【０００１】
【発明の属する技術分野】
本発明は、建物を構成する縦材の接合構造、建物ユニット及びユニット建物に関する。
【０００２】
【従来の技術】
建物において、柱等の縦材を、土台等の下部構造材に接合するに際し、特開平9-221834号公報に記載の如く、縦材の側面にホールダウン金物の側板を固定し、下部構造材から突出する連結部材をホールダウン金物の水平板に挿通して該水平板に緊結するものがある。
【０００３】
【発明が解決しようとする課題】
従来のホールダウン金物は、連結部材を水平板に上からだけ緊結するものであり、縦材が下部構造材から引き離される力に対抗するものである。従来のホールダウン金物では、縦材が圧縮力を受けたとき、縦材が下部構造材にめり込む現象を防止できない。
【０００４】
本発明の課題は、建物において、縦材の引抜耐力と押込耐力を共に確保することにある。
【０００５】
【課題を解決するための手段】
請求項１の発明は、壁の縦材を、土台と床根太と床面材からなる床に接合するに際し、縦材の側面にホールダウン金物の側板を固定し、土台から突出し、床面材を貫通する連結部材をホールダウン金物の水平板に挿通して該水平板に上下両方から緊結するとともに、前記連結部材の中間部に該連結部材を軸直角方向から支える座屈止め部材を前記床の床根太の側面に設けた縦材の接合構造である。
【０００６】
請求項２の発明は、請求項１の発明において更に、前記床が土台と床根太と床面材を予め一体化してなる床パネルであるようにしたものである。
【０００７】
請求項３の発明は、請求項１又は２に記載の縦材の接合構造を用いた建物ユニットである。
【０００８】
請求項４の発明は、請求項３に記載の建物ユニットを用いてなるユニット建物である。
【００１０】
【作用】
請求項１、２の発明によれば下記(a)、(b)の作用がある。
(a)床の土台から突出する連結部材をホールダウン金物の水平板に上下両方から緊結する。従って、縦材が土台から引き離される力（引抜力）は連結部材の上側の緊結部から連結部材を介して土台の側に伝えることで、縦材の引抜耐力を確保できる。縦材が土台に押込まれる力（圧縮力）は連結部材の下側の緊結部から連結部材を介して土台の側に伝えることで、縦材の土台へのめり込みを防止してその押込耐力を確保できる。
【００１１】
(b)連結部材の中間部に座屈止め部材を設けたから、縦材に作用する圧縮力が連結部材の下側の緊結部から連結部材に作用するとき、連結部材が細長状をなす場合にも座屈を回避できる。
【００１２】
請求項３、４の発明によれば下記(c)の作用がある。
(c)ユニット建物を構成する建物ユニットで、上述(a)、(b)により、縦材の引抜耐力と押込耐力をともに確保できる。
【００１４】
【発明の実施の形態】
図１は第１実施形態の縦材の接合構造を示し、（Ａ）は正面図、（Ｂ）は側面図、図２はホールダウン金物を示す斜視図、図３は座屈止め部材を示す斜視図、図４はユニット建物を示す斜視図、図５は建物ユニットを示す斜視図、図６は第２実施形態の縦材の接合構造を示し、（Ａ）は正面図、（Ｂ）は側面図である。
【００１５】
（第１実施形態）（図１〜図５）
ユニット建物１０は、図４に示す如く、複数の工場生産された建物ユニット１１を建築現場に輸送し、予め建築現場に設置された基礎１２の上で左右上下に接合して構築される。
【００１６】
建物ユニット１１は、図５に示す如く、床パネル２１と壁パネル２２の接合構造体である。床パネル２１は、図１に示す如く、土台２１Ａ、床根太２１Ｂ、床面材２１Ｃの組立構造体である。壁パネル２２は、図１に示す如く、縦枠２２Ａ、上枠２２Ｂ、下枠２２Ｃの組立構造体である。
【００１７】
建物ユニット１１は、工場生産段階で、下部構造材である床パネル２１（土台２１Ａ）に壁パネル２２（縦枠２２Ａ）を接合するに際し、縦枠２２Ａの側面にホールダウン金物３０の側板３１を釘打ち固定する。そして、土台２１Ａから突出し、床面材２１Ｃ、下枠２２Ｃを貫通する連結部材４０を、ホールダウン金物３０の水平板３２に挿通して該水平板３２に上下両方から上ナット４３、下ナット４４で緊結する。
【００１８】
尚、ホールダウン金物３０は、図２に示す如く、側板３１と水平板３２をつなぐ補強板３３を備える。
【００１９】
また、連結部材４０は、土台２１Ａの下面に添設される基板４１と、基板４１から立設されてナット４３、４４が螺着されるボルト部４２とからなり、土台２１Ａからホールダウン金物３０の範囲内に設けられるものとなる。
【００２０】
また、建物ユニット１１は、工場生産段階で、連結部材４０の中間部に座屈止め部材５０を設ける。座屈止め部材５０は、図３に示す如く、床根太２１Ｂの側面に釘打ち固定される側板５１と、側板５１の上下端部に接合された上板５２、下板５３とからなるコの字状をなし、連結部材４０を上板５２、下板５３の挿通孔に通すことにて該連結部材４０を軸直角方向から支えて座屈防止する。
【００２１】
工場生産された建物ユニット１１は、基礎１２の上に据付けられ、基礎１２に植設されているアンカーボルト１３を土台２１Ａに貫通してナット１４で締結する。このとき、建物ユニット１１に工場生産段階で組込み済の連結部材４０の基板４１が、土台２１Ａとともに基礎１２の上面に載置されるものとなる。
【００２２】
本実施形態によれば以下の作用がある。
▲１▼土台２１Ａから突出する連結部材４０をホールダウン金物３０の水平板３２に上下両方から緊結する。従って、縦枠２２Ａが土台２１Ａから引き離される力（引抜力）は連結部材４０の上ナット４３から連結部材４０を介して基礎１２の側に伝えることで、縦枠２２Ａの引抜耐力を確保できる。縦枠２２Ａが土台２１Ａに押込まれる力（圧縮力）は連結部材４０の下ナット４４から連結部材４０を介して基礎１２の側に伝えることで、縦枠２２Ａの土台２１Ａへのめり込みを防止してその押込耐力を確保できる。
【００２３】
▲２▼連結部材４０の中間部に座屈止め部材５０を設けたから、縦枠２２Ａに作用する圧縮力が連結部材４０の下ナット４４から連結部材４０に作用するとき、連結部材４０が細長状をなす場合にも座屈を回避できる。
【００２４】
▲３▼ユニット建物１０を構成する建物ユニット１１で、上述▲１▼、▲２▼により、縦枠２２Ａの引抜耐力と押込耐力をともに確保できる。
【００２５】
▲４▼下部構造材が土台２１Ａであり、この土台２１Ａが予め建物ユニット１１に一体化されてなるから、ホールダウン金物３０と連結部材４０を建物ユニット１１の工場生産段階において、建物ユニット１１の内部で緊結完了できる。これにより、建物ユニット１１の工場生産化率を高めることができる。
【００２６】
（第２実施形態）（図６）
図６の第２実施形態は、本発明の縦材の接合構造を建物ユニット１１に代わる一般建物６０に適用したものであり、連結部材４０として下部構造材である基礎１２から突出する長尺化したアンカーボルト１３を用いたものである。第２実施形態において、第１実施形態におけると実質的に同一部分は同一の符号を付して説明を省略する。第２実施形態においても、第１実施形態において前述した▲１▼、▲２▼と同様の作用を奏する。
【００２７】
以上、本発明の実施の形態を図面により詳述したが、本発明の具体的な構成はこの実施の形態に限られるものではなく、本発明の要旨を逸脱しない範囲の設計の変更等があっても本発明に含まれる。例えば、本発明において、縦材は縦枠の他、柱等でも良いし、下部構造材は土台の他、梁等でも良い。
【００２８】
【発明の効果】
以上のように本発明によれば、建物において、縦材の引抜耐力と押込耐力を共に確保することができる。
【図面の簡単な説明】
【図１】図１は第１実施形態の縦材の接合構造を示し、（Ａ）は正面図、（Ｂ）は側面図である。
【図２】図２はホールダウン金物を示す斜視図である。
【図３】図３は座屈止め部材を示す斜視図である。
【図４】図４はユニット建物を示す斜視図である。
【図５】図５は建物ユニットを示す斜視図である。
【図６】図６は第２実施形態の縦材の接合構造を示し、（Ａ）は正面図、（Ｂ）は側面図である。
【符号の説明】
１０  ユニット建物
１１  建物ユニット
２１Ａ  土台（下部構造材）
２２Ａ  縦枠（縦材）
３０  ホールダウン金物
３１  側板
３２  水平板
４０  連結部材
４３  上ナット
４４  下ナット
５０  座屈止め部材
６０  建物
【図１】
0004758576.tif 000002
【図２】
0004758576.tif 000003
【図３】
0004758576.tif 000004
【図４】
0004758576.tif 000005
【図５】
0004758576.tif 000006
【図６】
0004758576.tif 000007